(57)【要約】 【課題】  本発明は、マイクケースに着脱が可能な携帯用マルチメディアプレイヤーと、マイクタイプ映像歌伴奏装置を開示する。【解決手段】  本発明の装置は、マイクケースと着脱式携帯装置とを含む。マイクケースのヘッド部には外部マイクが設けられ、ハンドル部には装着溝が形成され、装着溝内にはマイク接続端子とオーディオライン及びビデオライン端子が形成されている。着脱式携帯装置は、マイクケースの装着溝に着脱可能に装着され、外周面には前記マイク接続端子とオーディオライン及びビデオライン端子とに電気的に接続するための複数の接続端子が形成され、装着及び着脱動作に応答して、外部マイクと内部マイクとをスイッチングし、装着時には映像歌伴奏モードで動作し、離脱時には携帯用マルチメディアプレイヤーモードで動作する。【選択図】    図１
2006119572.tif 000002
【特許請求の範囲】
【請求項１】
マイクケースに着脱が可能であり、携帯可能なサイズを有するハウジングと、
前記ハウジングに内蔵された内部マイクと、
前記マイクケースに設けられた外部マイクとオーディオライン及びビデオラインとに電気的に接続するために、前記ハウジングの外周面に設けられた複数の接続端子と、
選曲された歌詞情報とメニュー情報を表示するために、前記ハウジングの前面に設けられた液晶表示部と、
ユーザの命令を入力するためのユーザインターフェース部と、
コンピュータとのデータのアップロード／ダウンロードをインターフェーシングするために、前記ハウジングに設けられたコンピュータインターフェース部と、
数千曲の圧縮映像歌ファイル、及び圧縮背景映像ファイルが記憶され、コンピュータ又は外部からダウンロードするか、提供されたデータファイルを記憶するための記憶領域を有し、前記ハウジングに設けられた不揮発性記憶部と、
前記ハウジング内に設けられ、オーディオデータを入力してアナログオーディオ信号に変換し、変換されたオーディオ信号と前記外部又は内部マイクを通じて入力された音声信号をミキシングして出力オーディオ信号を生成し、前記入力された音声信号をデジタルオーディオデータに変換するオーディオコーデックと、
前記ハウジング内に設けられ、映像データ及び字幕データを入力してテレビ複合映像信号を生成し、映像信号を入力して映像データを生成するビデオコーデックと、
前記ハウジング内に設けられ、前記マイクケースの着脱可否を検出して、前記外部及び内部マイクのスイッチングを制御し、装着時には、ユーザ命令に応答して、選曲された映像音楽ファイルを前記不揮発性記憶部からアクセスして、圧縮されたオーディオデータを解凍して前記オーディオコーデックに提供し、圧縮された背景映像を解凍して前記ビデオコーデックに提供して映像歌伴奏モードを実行させ、離脱時には、モード選択に応答して、映像歌伴奏再生モード、コンピュータデータ再生／記憶モード、及びコンピュータデータアップ／ダウンモードを実行するための制御部と、を具備することを特徴とする携帯用動映像マルチメディアプレイヤー。
【請求項２】
前記圧縮映像音楽ファイルは、
前記音楽の歌手の音声をデジタルデータに変換して圧縮したボイスデータと、
前記音楽の楽器音からミディデータを生成して圧縮した伴奏データと、
歌詞データと、
前記音楽の歌詞、雰囲気、及びジャンルに関連した背景映像にアクセスするためのビデオ制御データと、を含むことを特徴とする請求項１に記載の携帯用動映像マルチメディアプレイヤー。
【請求項３】
前記圧縮映像音楽ファイルは、数百ＫＢのサイズを有することを特徴とする請求項２に記載の携帯用動映像マルチメディアプレイヤー。
【請求項４】
前記データファイルは、
ＭＰ３音楽ファイル、ボイス録音ファイル、動映像ファイル、又はこれらの組み合わせのうちのいずれか一つであることを特徴とする請求項２に記載の携帯用動映像マルチメディアプレイヤー。
【請求項５】
前記データファイルは、
ＭＰ３音楽ファイル、ボイス録音ファイル、動映像ファイル、写真イメージファイル、テキストデータ、又はこれらの組み合わせのうちのいずれか一つであることを特徴とする請求項２に記載の携帯用動映像マルチメディアプレイヤー。
【請求項６】
前記不揮発性記憶部は、
ＥＥＰＲＯＭ、フラッシュメモリ、フラッシュメモリカード、ミニハードディスクドライブ、及びこれらの組み合わせのうちのいずれか一つであることを特徴とする請求項１に記載の携帯用動映像マルチメディアプレイヤー。
【請求項７】
前記コンピュータインターフェースは、
ＵＳＢインターフェース、ＬＡＮインターフェース、及びこれらの組み合わせのうちのいずれか一つであることを特徴とする請求項１に記載の携帯用動映像マルチメディアプレイヤー。
【請求項８】
前記ユーザインターフェース部は、
前記ハウジングに設けられた方向キーと、
前記ハウジングに設けられ、かつダイアル及び押しボタンが複合されたジョグダイアルと、
選曲メニューモードを選択するためのモード選択キーと、
歌の始め及び終了のためのプレイキーと、を具備し、
前記モード選択キーによる歌番号選曲メニューモードの選択時には、前記ジョグダイアルのアップ／ダウンダイアリングにより歌番号がスクロール表示され、歌題目リスト選曲メニューモードの選択時には、前記ジョグダイアルのアップ／ダウンダイアリングにより表示された題目リスト上のカーソルを移動させることによって、多量の曲を迅速に選曲することを特徴とする請求項１に記載の携帯用動映像マルチメディアプレイヤー。
【請求項９】
前記ジョグダイアルの押しボタンは、
前記歌番号選曲メニューの選択時には、押す度に歌番号の桁数位置に沿ってカーソルが移動されるようにし、歌題目リスト選曲メニューモードの選択時には、押す度に題目リストのページが転換されるようにすることを特徴とする請求項８に記載の携帯用動映像マルチメディアプレイヤー。
【請求項１０】
前記プレイヤーは、
前記ハウジング内に設けられた振動モータを更に具備し、
前記制御部は、選曲された歌伴奏のリズムに合わせて前記ハウジングが振動されるように前記振動モータを制御することを特徴とする請求項１に記載の携帯用動映像マルチメディアプレイヤー。
【請求項１１】
前記プレイヤーは、
前記ハウジングに設けられたカメラモジュールを更に具備し、
前記制御部は、前記カメラを通じてピックアップされた写真イメージを圧縮して、前記不揮発性記憶部にデータファイルの一種として写真イメージファイルで記憶することを特徴とする請求項１に記載の携帯用動映像マルチメディアプレイヤー。
【請求項１２】
前記プレイヤーは、
前記ハウジングに設けられたＦＭ送受信部を更に具備し、
前記制御部は、前記ＦＭ送受信部を通じて補助無線マイクから伝送された音声データ信号と制御データ信号を受信し、受信された音声データ信号を前記オーディオコーデックに提供し、前記受信された制御データ信号に応答して、選曲された映像音楽ファイルの歌詞データを前記液晶表示部に表示することを特徴とする請求項１に記載の携帯用動映像マルチメディアプレイヤー。
【請求項１３】
前記プレイヤーは、
前記ハウジングに設けられたテレビ送信部を更に具備し、
前記制御部は、前記テレビ送信部を通じて複合映像信号と出力オーディオ信号をテレビチャンネル信号で伝送することを特徴とする請求項１に記載の携帯用動映像マルチメディアプレイヤー。
【請求項１４】
ヘッド部に外部マイクが設けられ、ハンドル部の外側面に装着溝を有し、装着溝内にマイク接続端子、オーディオライン端子、及びビデオライン端子が形成されたマイクケースと、
携帯可能なサイズを有し、前記マイクケースの装着溝に着脱可能に装着され、外周面に前記マイク接続端子とオーディオライン及びビデオライン端子とに電気的に接続するための複数の接続端子が形成され、装着及び着脱動作に応答して前記外部マイクと内部マイクをスイッチングして、装着時には映像歌伴奏モードで動作され、離脱時には携帯用マルチメディアプレイヤーモードで動作される携帯装置と、を具備することを特徴とするマイクタイプ映像歌伴奏装置。
【請求項１５】
ヘッド部に外部マイクが設けられ、ハンドル部の外側面に装着溝を有し、装着溝内にマイク接続端子、オーディオライン端子、及びビデオライン端子が形成されたマイクケースと、
ＦＭ送信器及びユーザインターフェース部を含み、マイクを通じて入力された音声信号及びユーザ命令をＦＭ信号として伝送する補助無線マイクと、
携帯可能なサイズを有し、前記マイクケースの装着溝に着脱可能に装着され、外周面に前記マイク接続端子、オーディオライン、及びビデオライン端子と電気的に接続するための複数の接続端子が形成され、前記補助無線マイクから伝送されたＦＭ信号を受信して音声信号及びユーザ命令を復元させ、装着及び着脱動作に応答して前記外部マイクと内部マイクをスイッチングして、装着時には映像歌伴奏モードで動作され、離脱時には携帯用マルチメディアプレイヤーモードで動作される携帯装置と、を具備することを特徴とするマイクタイプ映像歌伴奏装置。
【請求項１６】
音楽の歌手のライブ信号を所定のサンプリング周波数でサンプリングしてボイスデータを生成する段階と、
前記音楽の楽器音からミディデータで構成した伴奏データを生成する段階と、
前記音楽の歌詞データを生成する段階と、
前記ボイスデータ、伴奏データ、及び歌詞データで構成されたボディーと、これらのデータの初期位置を指定する複数のポインター値を含むヘッダーと、を含む音楽ファイルを生成する段階と、を含むことを特徴とする歌伴奏用音楽ファイル生成方法。
【請求項１７】
請求項１６の音楽ファイルのヘッダーから前記複数のポインター値を得る段階と、
前記得られたポインター値を参照して、前記音楽ファイルのボディーから前記ボイスデータ、伴奏データ、及び歌詞データをそれぞれ得る段階と、
前記得られたボイスデータ、伴奏データ、及び歌詞データを同期させて、アナログ音楽信号を出力する段階と、を含むことを特徴とする歌伴奏用音楽ファイル再生方法。
【請求項１８】
音楽の歌手のライブ信号を所定のサンプリング周波数でサンプリングしてボイスデータを生成する段階と、
前記音楽の楽器音からミディデータを生成する段階と、
前記音楽の歌詞データを生成する段階と、
前記音楽の背景画面のインデックス値からビデオ制御データを生成する段階と、
前記ボイスデータ、伴奏データ、歌詞データ、及びビデオ制御データで構成されたボディーと、これらのデータの初期位置を指定する複数のポインター値を含むヘッダーと、を含む音楽ファイルを生成する段階と、を含むことを特徴とする映像歌伴奏用音楽ファイル生成方法。
【請求項１９】
請求項１８の音楽ファイルのヘッダーから前記複数のポインター値を得る段階と、
前記得られたポインター値を参照して、前記音楽ファイルのボディーから前記ボイスデータ、ミディデータ、歌詞データ、及びビデオ制御データをそれぞれ得る段階と、
前記得られたビデオ制御データに応答して背景映像画面にアクセスする段階と、
前記得られたボイスデータ、及び伴奏データを同期させてアナログ音楽信号を出力すると同時に、前記アクセスされた背景映像画面に前記歌詞データを同期させて前記アナログ音楽信号の背景画面で表示する段階と、を含むことを特徴とする映像歌伴奏用音楽ファイル再生方法。
【請求項２０】
前記音楽ファイルのサイズは、４００ＫＢ以下であることを特徴とする請求項１９に記載の映像歌伴奏用音楽ファイル再生方法。
【請求項２１】
音楽の歌手のライブ信号を所定のサンプリング周波数でサンプリングしてボイスデータを生成する段階と、
前記音楽の楽器音からミディデータで構成した伴奏データを生成する段階と、
前記音楽の歌詞データを生成する段階と、
前記音楽の背景画面のインデックス値からビデオ制御データを生成する段階と、
前記ボイスデータ、伴奏データ、歌詞データ、及びビデオ制御データで構成されたボディーと、これらのデータの初期位置を指定する複数のポインター値を含むヘッダーと、を含む音楽ファイルを生成する段階と、により生成された複数の音楽ファイルを記憶したコンピュータに記憶再生可能な記憶媒体。
【請求項２２】
前記記憶媒体は、前記ビデオ制御データによりアクセス可能な複数の背景画面ファイルを共に記憶したことを特徴とする請求項２１に記載のコンピュータに記憶再生可能な記憶媒体。
【発明の詳細な説明】
【技術分野】
【０００１】
本発明は、携帯用動映像マルチメディアプレイヤー、マイクタイプ映像歌伴奏装置、映像歌伴奏用音楽ファイル生成方法、再生方法、並びにその記憶媒体に関し、特に、携帯用動映像マルチメディアプレイヤーをマイクケースに装着して、歌の伴奏と共に動映像及び静止映像で構成された背景映像をテレビに提供して、背景映像と共に歌を楽しむことができる装置及び方法に関する。
【背景技術】
【０００２】
本発明者は、１９９５年に特許文献１（自動伴奏器が内蔵されたマイク）、１９９７年に特許文献２（映像／歌の歌詞情報及び伴奏曲調伝送用マイク）、並びに、２００１年に特許文献３（自動伴奏及び映像出力制御用マイクと映像／字幕発生用受信装置）の出願を行っている。
【０００３】
マイクタイプ映像歌伴奏装置は、マイクケース内に映像歌伴奏装置を内蔵して、マイクと映像歌伴奏装置を一体化させたものであって、テレビ受信機にマイクをライン接続するか、無線送受信方式で背景映像と伴奏曲調と歌詞とを伝送して、映像歌伴奏を楽しむことができる装置である。
【０００４】
特許文献３における装置は、伴奏曲調及びボイスは伝送するが、実際の映像は伝送せず、単に映像出力制御信号及び字幕制御信号を発生して伝送すると、この制御信号に応答して伴奏曲調に対応する映像及び字幕がテレビ画面に表示されるように構成されたものである。これは映像データをマイクに記憶するには、多くのメモリ容量が要求されるためである。
【０００５】
従来のマイクタイプ歌伴奏装置は、マイクサイズ程度で小型であるが、ボックス型のケースが設けられた場所、家庭やカラオケ、又は車中等でのみ楽しむことができるという限界があり、いつどこでも常に用いるのには嵩が大きく、携帯が不便であった。
【０００６】
通常、歌手のライブ音楽をコンパクトディスク（ＣＤ）に記憶する場合、１．４１Ｍｂｐｓ（＝４４．１ｋＨｚ×１６ｂｉｔ×２ｃｈ）（１７６ｋＢ）程度のデータ容量を必要とする。従って、一曲の歌を４分と仮定すると、全体データ量は３３８．４Ｍｂ（＝１．４１Ｍｂｐｓ×２４０ｓｅｃ）（４２．３ＭＢ）の容量が必要とされる。ＣＤ音質水準のオーディオデータを１／１２圧縮率で圧縮したＭＰ３ファイルは、３．５２５ＭＢ容量で記憶することができる。
【０００７】
従って、ＭＰ３ファイル方式で約５０００曲の歌伴奏ファイルを記憶するためには、１７．６２５ＧＢのメモリ容量が必要とされる。従って、ＭＰ３ファイル形式で携帯用歌伴奏装置を具体化する場合、装置の小型化と高価な生産原価とが負担となる。記憶装置として、半導体メモリチップの代わりに、小型ハードディスクを用いる場合には、消費電力、物理的衝撃の安定性及び製品の小型化等の問題点がある。
【０００８】
更に、歌の伴奏時、背景映像を支援するためには、装置に背景映像データも記憶しなければならない。７２０×４８０サイズを有するカラー動映像及び静止映像をＲＧＢデータで記憶する場合、一つの画面当り、８．２９Ｍｂ（＝７２０×４８０×８ｂｉｔ×３（ＲＧＢ））の記憶容量が必要とされる。
【０００９】
従って、数千曲の映像歌伴奏ファイル及びその背景映像ファイルを全て記憶することが可能な携帯用歌伴奏装置を具体化するということは、メモリ容量の問題のために、商品化が非常に困難であった。
【特許文献１】韓国特許第９３３６２号明細書
【特許文献２】韓国特許出願公開第１９９７−６８７２４号明細書
【特許文献３】韓国特許第２９５２７１号明細書
【発明の開示】
【発明が解決しようとする課題】
【００１０】
本発明の目的は、このような従来技術の問題点を解決するためのものであって、携帯が便利なサイズを有し、いつどこでも数千曲の動映像歌伴奏を楽しむことができ、コンピュータからダウンロードされたデータを再生することができる携帯用動映像マルチメディアプレイヤーを提供することにある。
【００１１】
本発明の他の目的は、マイクケースに着脱が可能な携帯用動映像マルチメディアプレイヤーを提供することにある。
本発明の更なる他の目的は、着脱式携帯用動映像マルチメディアプレイヤーとマイクケースとを一体化させた場合、マイクタイプに構成が可能なマイクタイプ歌伴奏装置を提供することにある。
【００１２】
本発明の更なる他の目的は、携帯用映像歌伴奏装置に数千曲の音楽ファイルと数千枚の背景静止映像を記憶することができるように、容量サイズが小さい映像歌伴奏ファイル生成方法を提供することにある。
【００１３】
本発明の更なる他の目的は、前記生成された音楽ファイルの再生に適合した方法を提供することにある。
本発明の更なる他の目的は、前記音楽ファイルを記憶した記憶媒体を提供することにある。
【課題を解決するための手段】
【００１４】
前記目的を達成するために、本発明の装置は、マイクケースに着脱が可能であり、ポケット携帯が可能なサイズを有するハウジングを有する。ハウジングには内部マイクと、前記マイクケースに設けられた外部マイクとオーディオライン及びビデオラインとに電気的に接続するための複数の接続端子と、選曲された歌詞情報とメニュー情報を表示するための液晶表示部と、ユーザの命令を入力するためのユーザインターフェース部と、コンピュータとのデータのアップ／ダウンロードをインターフェーシングするためのコンピュータインターフェース部と、数千曲の圧縮映像歌ファイル、及び圧縮背景映像ファイルが記憶され、コンピュータ又は外部からダウンロードするか、提供されたデータファイルを記憶するための記憶領域を有する不揮発性記憶部と、オーディオデータを入力してアナログオーディオ信号に変換し、変換されたオーディオ信号と前記外部又は内部マイクを通じて入力された音声信号をミキシングして、出力オーディオ信号を生成し、前記入力された音声信号をデジタルオーディオデータに変換するオーディオコーデックと、映像データ及び字幕データを入力してテレビ複合映像信号を生成し、映像信号を入力して映像データを生成するビデオコーデックと、制御部と、を含む。
【００１５】
本発明において、制御部は、マイクケースの着脱可否を検出して、前記外部及び内部マイクのスイッチングを制御し、装着時には、ユーザ命令に応答して、選曲された映像音楽ファイルを前記不揮発性記憶部からアクセスして、圧縮されたオーディオデータを解凍して前記オーディオコーデックに提供し、圧縮された背景映像を解凍して前記ビデオコーデックに提供して映像歌伴奏モードを実行させ、離脱時には、モード選択に応答して、映像歌伴奏再生モード、コンピュータデータ再生／記憶モード、及びコンピュータデータアップ／ダウンモードを実行する。
【００１６】
本発明において圧縮映像音楽ファイルは、歌手の音声をデジタルデータに変換して圧縮したボイスデータと、楽器音からミディデータを生成して圧縮した伴奏データと、歌詞データと、音楽の歌詞、雰囲気、及びジャンルに関連した背景映像にアクセスするためのビデオ制御データと、を含む。
【００１７】
ここで、ボイスデータは、歌手の音声信号を圧縮したデータである。好ましくは、歌手の音声信号を２２ｋＨｚのサンプリング周波数で１６ビットオーディオデータ（７０４ｋｂｐｓ＝２２ｋＨｚ×１６ｂｉｔ）に変換し、変換されたオーディオデータを、例えば、オーディオ標準Ｇ７２６〜Ｇ７２９の圧縮アルゴリズムにより、秒当り約１２ｋｂｐｓデータで圧縮する。従って、４分程度の音楽である場合、歌手の音声信号は約３６０ｋＢ（＝１２ｋｂｐｓ×２４０ｓｅｃ／８ｂｉｔ）のデータに圧縮される。ここで、オーディオデータの圧縮アルゴリズムは、同一範囲内の多様なアルゴリズムの適用が可能である。
【００１８】
伴奏データは、歌の楽器音からミディデータを生成し、生成されたミディデータを圧縮したデータである。好ましくは、１６チャンネル（１６人組）基準、４分程度のミディデータは、約４５ｋＢのデータ量を有する。このミディデータは、無損失圧縮、例えば、コンピュータデータを圧縮するＺＩＰ、ＬＨＡなどの圧縮アルゴリズムを用いて、１３ｋＢ程度に圧縮される。
【００１９】
従って、曲当り映像歌伴奏ファイルは、約３７３ｋＢ程度のデータ量のボイス及び楽器データ、歌詞データ、及びビデオ制御データを含んで約４００ｋＢ程度のデータ量を有する。例えば、５０００曲を基準とすると、２ＧＢの記憶領域が必要とされる。従って、５０００曲のＭＰ３ファイルと比較すると、約９倍程度のデータ圧縮率を有し、オリジナルの信号と比較すると、１０６倍程度のデータ圧縮率を有する。現在商品化されたフラッシュメモリの容量は２ＧＢ程度であるため、本発明の場合、５０００曲を記憶する携帯用マルチメディア装置の実現が可能である。
【００２０】
背景映像ファイルは、動映像ファイルと静止映像ファイルを含む。好ましくは、動映像の場合には、画面当り７２０×４８０サイズのＲＧＢカラーデータをＭＰＥＧ４圧縮方式を適用して、５１２ｋｂｐｓのデータ量を有する動映像ファイルで構成する。
【００２１】
例えば、１分程度の動映像ファイルのサイズは、約３．８ＭＢ程度で構成することができる。静止映像の場合、ＭＰＥＧ４圧縮方式によって約４０ｋＢのデータ量を有する。従って、動映像１分程度のファイル約１００個と、静止映像ファイル１０００個程度で背景映像ファイルを構成する場合、背景映像の記憶領域は、約４２０ＭＢ（＝３８０ＭＢ＋４０ＭＢ）程度必要とされる。従って、数千個の背景映像ファイルと数千曲の映像歌演奏ファイルとの組み合わせにより、記憶領域のサイズを適切に設計することができる。
【００２２】
例えば、３０００曲の映像歌伴奏ファイルと、約１００個の１分動映像ファイルと、１０００枚の静止映像ファイルで動映像歌伴奏装置を構成すると、全体的な記憶領域は、約１．６２ＧＢ程度必要であるため、記憶領域のサイズを２ＧＢのフラッシュカードで構成する場合、約３８０ＭＢ程度の余剰領域を有する。
【００２３】
ここで、２ＧＢは例として説明したもので、フラッシュメモリカード又はメモリ装置の携帯装置としての実装が可能なサイズの記憶容量によって、数ＧＢの多様なモデル開発が可能である。
【００２４】
本発明では、この余剰領域をデータファイルの記憶領域として提供する。従って、余剰領域には、４ＭＢのＭＰ３ファイルを約９５曲程度記憶することができ、１００分程度の動映像を記憶することができ、その他、ボイス録音データ、写真イメージデータ、コンピュータファイル等を記憶することができる携帯用半導体記憶装置の提供が可能である。
【００２５】
本発明におけるデータファイル、即ち、コンピュータとのアップ／ダウンロードが可能なデータファイルは、ＭＰ３音楽ファイル、ボイス録音ファイル、デジタル写真イメージファイル、動映像ファイル、又はこれらの組み合わせのうちのいずれか一つを含むことができる。
【００２６】
本発明における不揮発性記憶部は、ＥＥＰＲＯＭ、フラッシュメモリ、フラッシュメモリカード、ミニハードディスクドライブ、及びこれらの組み合わせのうちのいずれか一つで構成することができる。好ましくは、メディア交換が可能であり、物理的衝撃に強いフラッシュメモリカードで構成する。
【００２７】
本発明におけるコンピュータインターフェースは、ＵＳＢインターフェース、ＬＡＮインターフェース、１３９４バスインターフェース、ブルートゥース無線インターフェース、及びこれらの組み合わせのうちのいずれか一つで構成することができる。
【００２８】
本発明において、ユーザインターフェース部は、ハウジングに設けられた方向キーと、ダイアル及び押しボタンが複合されたジョグダイアルと、選曲メニューモードを選択するためのモード選択キーと、歌の始め及び終了のためのプレイキーと、を具備することによりキーパッドの数を最小化させる。従って、製品の生産単価を低下させ、ユーザの使用上の利便性を向上させる。
【００２９】
モード選択キーにより歌番号選曲メニューモードの選択時には、前記ジョグダイアルのアップ／ダウンダイアリングにより歌番号がスクロール表示され、歌題目リスト選曲メニューモードの選択時には、前記ジョグダイアルのアップ／ダウンダイアリングにより表示された題目リスト上のカーソルを移動させることにより、多量の曲を迅速に選曲することができる。
【００３０】
本発明におけるジョグダイアルの押しボタンは、歌番号選曲メニューモードの選択時には、押す度に歌番号の桁数位置に沿ってカーソルが移動されるようにし、歌題目リスト選曲メニューモードの選択時には、押す度に題目リストのページが転換されるように構成することが好ましい。
【００３１】
本発明におけるプレイヤーは、ハウジング内に設けられた振動モータを更に具備し、制御部は、選曲された歌伴奏のリズムに合わせて前記ハウジングが振動されるように前記振動モータを制御する。従って、ユーザは、歌を歌う時、音楽のリズム感をマイクを握る手を通じて感じることができる。又、歌の開始信号を振動で感じることができるようにし、歌を歌うことを評価して、合格時には祝賀信号を、不合格時には罰則に対応する強い振動を付与して、楽しみを増加させることができる。
【００３２】
本発明におけるプレイヤーは、ハウジングに設けられたカメラモジュールを更に具備し、制御部は、前記カメラを通じてピックアップされた写真イメージを圧縮して、前記不揮発性記憶部のデータファイル記憶領域に写真イメージファイルを記憶させる。従って、歌を楽しむ自分や、一緒に楽しむ周辺の人の写真を撮って、ミュージックビデオ又はミュージックアルバムを直接製作することも可能である。
【００３３】
本発明におけるプレイヤーは、ハウジングに設けられたＦＭ送受信部を更に具備し、制御部は、ＦＭ送受信部を通じて補助無線マイクから伝送された音声データ信号と制御データ信号を受信し、受信された音声データ信号をオーディオコーデックに提供し、受信された制御データ信号に応答して、選曲された映像音楽ファイルの歌詞データを液晶表示部に表示する。
【００３４】
本発明におけるプレイヤーは、ハウジングに設けられたテレビ送信部を更に具備し、制御部は、テレビ送信部を通じて複合映像信号と出力オーディオ信号をテレビチャンネル信号で伝送する。
【００３５】
本発明の一実施形態である映像歌伴奏装置は、ヘッド部に外部マイクが設けられ、ハンドル部の外側面に装着溝を有し、装着溝内にマイク接続端子、オーディオライン端子、及びビデオライン端子が形成されたマイクケースと、携帯可能なサイズを有し、前記マイクケースの装着溝に着脱可能に装着され、外周面に前記マイク接続端子とオーディオライン及びビデオライン端子とに電気的に接続するための複数の接続端子が形成され、装着及び着脱動作に応答して前記外部マイクと内部マイクをスイッチングして、装着時には映像歌伴奏モードで動作され、離脱時には携帯用マルチメディアプレイヤーモードで動作される携帯装置と、を含む。
【００３６】
本発明の他の実施形態である映像歌伴奏装置は、ヘッド部に外部マイクが設けられ、ハンドル部の外側面に装着溝を有し、装着溝内にマイク接続端子、オーディオライン端子、及びビデオライン端子が形成されたマイクケースと、ＦＭ送信機及びユーザインターフェース部を含み、マイクを通じて入力された音声信号及びユーザ命令をＦＭ信号として伝送する補助無線マイクと、携帯可能なサイズを有し、前記マイクケースの装着溝に着脱可能に装着され、外周面に前記マイク接続端子とオーディオライン及びビデオライン端子とに電気的に接続するための複数の接続端子が形成され、前記補助無線マイクから伝送されたＦＭ信号を受信して音声信号及びユーザ命令を復元させ、装着及び着脱動作に応答して前記外部マイクと内部マイクをスイッチングして、装着時には映像歌伴奏モードで動作され、離脱時には携帯用動映像マルチメディアプレイヤーモードで動作される携帯装置と、を含む。
【００３７】
従って、補助マイクを用いる場合には、携帯装置を歌詞字幕器として使用することができる。又、携帯装置が装着されたマイクケースと補助マイクをそれぞれ一人ずつ用いて、デュエットで映像歌伴奏を楽しむことができる。
【００３８】
本発明では、携帯用動映像マルチメディアプレイヤーのみでも映像歌伴奏が可能であるが、カラオケでマイクを握って歌を歌う雰囲気を形成するために、マイクケースに装着して使用できるように構成することを特徴とする。
【００３９】
本発明の音楽ファイル生成方法は、音楽の歌手のライブ信号を数１０ＫＨｚのサンプリング周波数でサンプリングしてボイスデータを生成する段階と、音楽の楽器音からミディデータで構成した伴奏データを生成する段階と、音楽の歌詞データを生成する段階と、ボイスデータ、ミディデータ、及び歌詞データで構成されたボディーと、これらのデータの初期位置を指定する複数のポインター値を含むヘッダーと、を含む音楽ファイルを生成する段階と、を含むことを特徴とする。
【００４０】
本発明の音楽ファイルを再生する方法は、音楽ファイルのヘッダーから前記複数のポインター値を得る段階と、得られたポインター値を参照して、前記音楽ファイルのボディーから前記ボイスデータ、伴奏データ、歌詞データをそれぞれ得る段階と、得られたボイスデータ、伴奏データ、歌詞データを同期させてアナログ音楽信号を出力する段階と、を含むことを特徴とする。
【００４１】
本発明の記憶媒体は、音楽の歌手のライブ信号を数１０ＫＨｚのサンプリング周波数でサンプリングしてボイスデータを生成する段階と、前記音楽の楽器音からミディデータで構成した伴奏データを生成する段階と、前記音楽の歌詞データを生成する段階と、前記音楽の背景画面のインデックス値からビデオ制御データを生成する段階と、ボイスデータ、伴奏データ、歌詞データ、及びビデオ制御データで構成されたボディーと、これらのデータの初期位置を指定する複数のポインター値を含むヘッダーと、を含む音楽ファイルを生成する段階と、により生成された複数の音楽ファイルを記憶する。
【００４２】
本発明の記憶媒体は、ビデオ制御データによりアクセス可能な複数の背景画面ファイルを共に記憶する。
【発明を実施するための最良の形態】
【００４３】
以下、添付図面を参照して、本発明の好ましい実施形態を具体的に説明する。
図１は本発明による好ましい一実施形態の携帯用動映像マルチメディアプレイヤーの前面外観斜視図であり、図２は後面外観斜視図である。
【００４４】
図１を参照すると、携帯用動映像マルチメディアプレイヤーのハウジング１００は、ポケット又は手持ちタイプの超小型サイズを有する。ハウジング１００の前面には、カメラ１０１、液晶表示窓１０２、方向キーパッド１０４が形成される。方向キーパッド１０４は、４つの上下左右の方向キーで構成される。
【００４５】
ハウジング１００の右側面には、ジョグダイアル（Ｊｏｇ  Ｄｉａｌ）／ボタン１０６、モード選択ボタン１０８、プレイボタン１１０、及びヘッドフォンジャック１１２を含む。ハウジング１００の上面には、カードスロット１１４が形成され、フラッシュメモリカード１１６が挿入、装着される。
【００４６】
図２を参照すると、ハウジング１００の底面にはマイク接続端子１１８とビデオオーディオライン接続端子１１９が形成されている。
図３は、本発明による好ましい一実施形態の携帯用動映像マルチメディアプレイヤーをマイクケースに装着した状態の正面図であり、図４は側面図である。
【００４７】
マイクケース２００は、ヘッド部２１０にマイクが内蔵され、ハンドル部２２０の上端部には溝が形成されたものであり、携帯用プレイヤーのハウジング１００が着脱可能に装着される。マイクケース２００の溝の内側下端部にはハウジング底面の接続端子１１８、１１９と電気的に接続される接続端子が形成される。ハンドル部２２０の下端には、ＡＶケーブルが接続され、ケーブルの終端にはテレビのオーディオライン入力ジャック及びビデオライン入力ジャックに挿入されるプラグが形成される。従って、有線方式でテレビに接続可能である。
【００４８】
図５は、図１の携帯装置の好ましい一実施形態のブロック図である。
図５は、メインメモリ１２０、フラッシュメモリカードインターフェース１２２、フラッシュメモリカード１１６、ミニハードディスクドライブ１２６、ＵＳＢインターフェース１２８、ＲＳ２３２Ｃインターフェース１３０、ＬＡＮインターフェース１３２、ミディインターフェース１３３、ミディ音源生成器１３５、電源部１３４、装着検出部１３６、制御部１３８、選択スイッチ１４０、マイク接続端子１１８、内部マイク１４４、オーディオコーデック１４６、ヘッドフォンジャック１４８、ＡＶライン出力ジャック１５０、ビデオコーデック１５２、ＡＶライン入力ジャック１５４、スーパービデオ入力ジャック１５６、無線送受信部１５８、キー入力部１６０、液晶表示部１６２、カメラモジュール１６４、及び振動モータ１６６を含んでいる。
【００４９】
制御部１３８は、携帯用デジタルメディア応用分野に主に用いられるＴＩ社のマルチメディアプロセッサを用いる。プロセッサは、ＡＲＭ７中央処理部、デジタル信号処理部、メモリコントローラ、ＯＳＤ  ＮＴＳＣ／ＰＡＬエンコーダ、デジタルカメラインターフェース、イメージプロセッシングエンジン、及びＵＳＢ、ＵＡＲＴ、シリアルインターフェース等の通信インターフェース等を含むワンチッププロセッサである。制御部１３８は、本発明による映像歌伴奏音楽ファイルを生成し、これを再生するためのプログラムを行うようにプログラミングされている。
【００５０】
メインメモリ１２０は、２Ｍ×１６×４バンクのサイズを有する同期ＤＲＡＭ、５１２×１６サイズを有するＳＲＡＭ、１６Ｍｂサイズを有するフラッシュメモリ等を含み、制御部１３８のメモリコントローラを通じてデータを記憶する。
【００５１】
フラッシュメモリカードインターフェース１２２は、コンパクトフラッシュカード、メモリスティック、スマートメディア等のフラッシュメモリカードのスロットを提供し、制御部１３８のメモリコントローラを通じてデータを記憶する。本発明では、フラッシュメモリカード１１６に映像歌伴奏用音楽ファイル、背景映像ファイル、コンピュータからタウンロードしたＭＰ３ファイル等のコンピュータデータファイル、ボイス録音ファイル、写真イメージファイル等を記憶する。
【００５２】
ミニハードディスクドライブ１２６は、フラッシュメモリカードとオプション的に用いられても、組み合わせて用いられても構わない。例えば、背景映像ファイルの動映像ファイルを記憶するか、ＭＰ３ファイル等を記憶することができる。
【００５３】
ＵＳＢインターフェース１２８、ＬＡＮインターフェース１３２は、制御部１３８の通信インターフェースを通じて外部コンピュータからＭＰ３ファイルをダウンロードするか、フラッシュメモリカードに記憶されたボイスファイルをアップロードするチャンネルとして提供される。
【００５４】
ＲＳ  ２３２Ｃインターフェース１３０は、シリアル通信ポートとして提供され、多様な用途への拡張を可能にする。
ミディインターフェース１３３は、外部から直接ミディデータを入力するためのインターフェースを提供する。従って、携帯装置に直接ミディデータを入力することができる。
【００５５】
ミディ音源生成器１３５は、フラッシュメモリカード又はミディインターフェースを通じて入力されたミディデータに対応する音源を生成する。
電源部１３４は、３．６Ｖの充電用バッテリー又は乾電池等からメイン電源の供給を受けて、３．３Ｖ、１．８Ｖ等の内部電源電圧を発生する。電源部１３４は、リセットスイッチに応答してシステムリセット信号を発生して制御部１３８に提供し、電源キーに応答して電源オン／オフがなされる。
【００５６】
装着検出部１３６は、ハウジング１００がマイクケース２００の溝に装着時に、装着検出信号を制御部１３８に提供する。例えば、装着検出信号は、装着時にハイレベルを維持して、分離（離脱）時にローレベルを維持することができる。
【００５７】
選択スイッチ１４０は、制御部１３８から提供された着脱検出信号に応答して、内部マイク１４４か、若しくはマイクケース２００に設けられた外部マイクかを選択する。外部マイクは、マイク接続端子１１８を通じてハウジング１００と電気的に接続される。
【００５８】
オーディオコーデック１４６は、ＴＩ社のＴＬＶ３２０ＡＩＣ２３ＰＷオーディオコーデックチップであって、ステレオライン入力されたオーディオ信号をデジタルデータに変換するか、デジタルオーディオデータの入力を受けて、アナログオーディオ信号に変換して、ステレオライン出力及びステレオヘッドフォン出力を生成する。又、マイク入力をステレオライン入力又はステレオ出力等にミキシングする機能を有する。
【００５９】
ヘッドフォンジャック１４８を通じてステレオヘッドフォン出力信号が出力される。ＡＶライン出力ジャック１５０を通じてステレオライン出力信号Ｌ、Ｒが外部のステレオオーディオ出力ラインと接続され、ＡＶライン出力ジャック１５０には制御部１３８のＮＴＳＣ／ＰＡＬエンコーダから提供される複合映像信号ＣＶＢＳが印加され、外部のビデオ出力ラインと接続される。従って、ＡＶライン出力ジャック１５０の各端子は、装着時にマイクケース２００の装着溝の接続端子と電気的に接続される。ＡＶライン入力ジャック１５４を通じて入力されたステレオオーディオ信号はオーディオコーデック１４６に提供される。
【００６０】
ビデオコーデック１５２は、フィリップス社ＳＡＡ７１１５  ９ビットビデオコーデックチップであって、外部ビデオ信号をＡＶライン入力ジャック１５４又はスーパービデオ入力ジャック１５６を通じて提供受け、提供されたビデオ信号をデジタルビデオデータに変換して制御部１３８に提供する。
【００６１】
無線送受信部１５８は、補助マイク３００、例えば、特許文献１、特許文献２に開示された補助マイク３００から伝送された信号を受信し、受信された信号から選曲信号を検出して、制御部１３８に提供する。又、ステレオオーディオ信号及び複合映像信号を入力して、テレビチャンネル信号、例えば、チャンネル１２又はチャンネル１４のテレビ信号に変調して、無線でテレビ受像機３５０に提供する。従って、無線方式で用いる場合、テレビチャンネルを１２又は１４でチューニングした状態で、本発明の携帯装置から背景映像と歌詞、オーディオ信号等が伝送されテレビ画面上に表示され、テレビスピーカーを通じてオーディオ出力させて楽しむことができる。
【００６２】
キー入力部１６０は、ユーザインターフェースとして、方向キー、再生キー、機能キー、停止キー、ジョグダイアル、モード選択キー、プレイキー等を含む。液晶表示部１６２は、制御部１３８から提供された歌詞文字を表示する。
【００６３】
方向キーは、メニューの移動、目録の移動時に用いられる。又、上下キーは、歌演奏時に音の高さを調節するために使用し、左右キーは速度を調節する。左側キーは、目録で選曲時に「予約」ボタンで用いられる。
【００６４】
機能キーは、画面にメニューや機能をディスプレイし、もう一度押すと、機能が取り消される。機能キーを長く押して電源のオン／オフを行う。
停止キーは、機能を取り消して以前の段階に移動するか、歌を中断するか、メニューを取り消す場合に用いられる。
【００６５】
再生キーは、歌を始めるか、歌が始まった状態でもう一度押すと、一時停止を行い、メニューや機能のうちでカーソルが位置している項目を選択するためのエンターキーとして用いられる。
【００６６】
ジョグダイアルは、選曲しようとする歌の番号を速くし、アップダウンメニューで歌を選曲する時、ダイアルを回して速い速度でアップダウンメニューに移動することができ、調節値を上げるか下げる場合に用いられ、ジョグダイアルのボタンを押すと、カーソルが位置している項目を選択するか、機能や調節値を確定する。
【００６７】
モード選択キーにより歌番号入力モードが設定された状態で、ジョグダイアルボタンを押して桁数を移動させ、指定された桁数においてジョグダイアルを回すと、該当桁数の数字が上下にスクロールされながら表示される。所望する数字を表示し、ジョグダイアルボタンを押すと、該当数字がセッティングされる。このように、ジョグダイアルのみで桁数を変えながら、素早く歌番号を入力することができる。
【００６８】
モード選択キーにより歌題目選曲モードが設定されると、例えば、１ページ分量、例えば、２０曲が画面上に表示され、ジョグダイアルボタンを押すと、次のページが表示される。各ページ毎に２０曲程度が表示され、ジョグダイアルを回して、カーソルで所望する題目位置を移動しながら選択すると、選曲をすることができる。選曲が完了されると、プレイキーを押して歌伴奏をスタートさせることができる。
【００６９】
カメラモジュール１６４は、超小型カメラモジュールでＣＭＯＳイメージセンサーを通じてピックアップされたイメージを映像信号に変換して制御部１３８に提供する。制御部１３８では、提供された映像信号をＭＰＥＧアルゴリズムにより圧縮して、写真イメージファイルを生成して、フラッシュメモリカード１１６に記憶させる。カメラモジュール１６４を通じて撮った写真イメージは、テレビを通じて見ることができ、コンピュータインターフェースを通じてコンピュータにアップロードした後、コンピュータディスプレイを通じて見ることもできる。
【００７０】
振動モータ１６６は、制御部１３８により駆動され特定振動を発生する。例えば、歌スタートカウントに合わせて振動で知らせたり、歌リズムによる振動を発生させてマイクケース又は携帯装置のハウジングを握る手に伝達して、リズム感を感じるようにしたり、合格又は不合格に対応する振動を発生させることにより、楽しく歌伴奏を楽しむようにする。
【００７１】
図６は、本発明による記憶部のマッピング状態を示す。
図６を参照すると、記憶部は、歌伴奏ファイル記憶領域４１０及びデータファイル記憶領域４２０で構成される。歌伴奏ファイル記憶領域４１０は、曲テーブル領域４３０、オーディオファイル領域４４０、ビデオファイル領域４５０に区分される。
【００７２】
曲テーブル領域４３０には、オーディオファイルの目録と目録の各項目に対応する初期アドレス値がテーブルで作成され、記憶されている。選曲時、曲テーブルを参照して、対応オーディオファイルにアクセスする。又、ビデオファイル目録と初期アドレス値がテーブルで作成され、記憶される。システムブーティング時、曲テーブル領域４３０にあるテーブルは、自動にアクセスされ制御部１３８を通じてメインメモリ１２０にローディングされる。
【００７３】
オーディオファイル領域には、各曲に対応する映像歌伴奏ファイルが記憶される。各映像歌伴奏ファイルは、歌の時間によって約３５０〜４５０ｋＢ程度のサイズで記憶される。
【００７４】
図７は、本発明によるオーディオファイル、即ち、音楽ファイルのフォーマットを示す。
図７を参照すると、オーディオファイル４４２は、ヘッダー４４３と、ボイスデータ４４４、伴奏データ４４６、歌詞データ４４８、ビデオ制御データ４４９、及びＣＲＣコード４５２を有するボディー４５１とを含む。
【００７５】
ヘッダー４４３には、ヘッダーＩＤコード４４３ａ、ヘッダーサイズ４４３ｂ、層サイズ４４３ｃ、ポインター１（４４３ｄ）、ポインター２（４４３ｅ）、ポインター３（４４３ｆ）、及びポインター４（４４３ｇ）を有する。ポインター１（４４３ｄ）はボイスデータ４４４の初期アドレスを指定し、ポインター２（４４３ｅ）は伴奏データ４４６の初期アドレスを指定し、ポインター３（４４３ｆ）は歌詞データ４４８の初期アドレスを指定し、ポインター４（４４３ｇ）はビデオ制御データ４４９の初期アドレスを指定する。
【００７６】
ボイスデータ４４４は、歌手の音声信号を圧縮したデータであって、歌手の音声信号を２２ｋＨｚのサンプリング周波数で１６ビットオーディオデータ（７０４ｋｂｐｓ＝２２ｋＨｚ×１６ｂｉｔ）に変換し、変換されたオーディオデータを、例えば、オーディオ標準Ｇ７２６〜Ｇ７２９の圧縮アルゴリズムにより、秒当り約１２ｋｂｐｓデータに圧縮する。従って、４分程度の音楽の場合、歌手の音声信号は約３６０ｋＢ（＝１２ｋｂｐｓ×２４０ｓｅｃ／８ｂｉｔ）のデータに圧縮される。ここで、オーディオデータの圧縮アルゴリズムは、同一範囲内の多様なアルゴリズムの適用が可能である。
【００７７】
伴奏データ４４６は、歌の楽器音からミディデータを生成して、生成されたミディデータを圧縮したデータであって、１６チャンネル（１６人組）基準、４分程度のミディデータは約４５ｋＢのデータ量を有する。このミディデータは、無損失圧縮、例えば、コンピュータデータを圧縮するＺＩＰ、ＬＨＡ等の圧縮アルゴリズムを用いて１３ｋＢ程度で圧縮される。
【００７８】
従って、曲当りの映像歌伴奏ファイルは、約３７３ｋＢ程度のデータ量のボイスデータ４４４及び伴奏データ４４６と、歌詞データ４４８と、ビデオ制御データ４４９とを含み、約４００ｋＢ程度のデータ量を有する。例えば、５０００曲を基準とすると、２ＧＢの記憶領域が必要とされる。従って、５０００曲のＭＰ３ファイルと比較すると、約９倍程度のデータ圧縮率を有し、オリジナルの信号と比較すると、１０６倍程度のデータ圧縮率を有する。現在、商品化されたフラッシュメモリの容量が２ＧＢ程度なので、本発明の場合、５０００曲を記憶する携帯用マルチメディア装置の実現が可能である。
【００７９】
伴奏データ４４６はミディデータであって、１バイトの状態バイトと１バイト以上のデータバイトで構成される。状態バイトによってチャンネルメッセージとシステムメッセージとに区分され、チャンネルメッセージは、更にボイスメッセージとモードメッセージとに区分され、システムメッセージは、エクスクルーシブメッセージとコマンド、リアルタイムメッセージに区分される。ノートオン／ノートオフメッセージは、１２８種類の音程のうちのどの音程で、数十種類の音の強弱のうちのどの強弱で音を発生して止めるかを示す。
【００８０】
歌詞データ４４８は、歌詞を字幕で示すための文字データで構成される。
ビデオ制御データ４４９は、背景映像のインデックス順序値で歌の雰囲気又は歌詞の内容に対応して、数枚又は数十枚の関連背景映像のインデックス値で構成される。
【００８１】
従って、特定の曲を選曲すると、関連するオーディオファイル４４２のビデオ制御データによって関連背景映像画面がビデオファイル領域から順次にアクセスされ画面上に表示される。
【００８２】
ボイスデータ、ミディデータ、歌詞データ、ビデオ制御データの同期は、ミディタイムコードにより行われる。ミディタイムコードには、ヘッダーフレームメッセージ、フルタイムコードメッセージ、ユーザビットメッセージ、セットアップメッセージ等がある。
【００８３】
図６のビデオファイル領域４５０は、初期ロゴタイトル静止画面４５３、タイトル動映像ファイル４５４、数千枚の背景静止画面ファイル４５６、数十〜数百の背景動映像画面ファイル４５８で構成される。
【００８４】
背景映像ファイルは、動映像ファイルと静止映像ファイルを含む。好ましくは、動映像の場合は、画面当り７２０×４８０サイズのＲＧＢカラーデータにＭＰＥＧ４圧縮方式を適用して、５１２ｋｂｐｓのデータ量を有する動映像ファイルが構成される。
【００８５】
例えば、１分程度の動映像ファイルのサイズは、約３．８ＭＢ程度で構成することができる。静止映像の場合、ＭＰＥＧ４圧縮方式により約４０ｋＢのデータ量を有する。従って、約１００個の動映像１分程度のファイルと、約１０００個の静止映像ファイルで背景映像ファイルを構成する場合、背景映像の記憶領域は約４２０ＭＢ（＝３８０ＭＢ＋４０ＭＢ）程度必要とされる。従って、数千個の背景映像ファイルと数千曲の映像歌演奏ファイルとの組み合わせにより、記憶領域のサイズを適切に設計できる。
【００８６】
例えば、３０００曲の映像歌伴奏ファイルと、約１００個の１分動映像ファイルと、１０００枚の静止映像ファイルで動映像歌伴奏装置を構成すると、全体的な記憶領域は約１．６２ＧＢ程度必要とされるので、記憶領域のサイズを２ＧＢのフラッシュカードで構成する場合、約３８０ＭＢ程度の余剰領域を有する。
【００８７】
ここで、背景映像は、季節別（春／夏／秋／冬）、雰囲気別（バラード／ダンス／ディスコ／ジャズ／ファンキー）、年齢別（子供／１０代／２０代／３０代／４０代以上）等で分類が可能である。
【００８８】
従って、ビデオ制御データは背景映像の分類コードや特定背景ファイルのアクセスコードで構成され、対応するタイミングで特定背景やランダムに該当分類の背景ファイルが選択され、アクセスされるように制御可能である。従って、曲数より少ない背景映像でも多様な背景映像の演出が可能である。
【００８９】
図６のデータファイル記憶領域４２０には、ファイルテーブル４６０、ＭＰ３ファイル４７０、写真イメージファイル４７２、ボイス録音ファイル４７４、コンピュータからダウンロードした動映像コンテンツファイル４７６、コンピュータアップ／ダウンデータファイル４７８、その他テキスト又は英語会話ファイル４８０を記憶する。
【００９０】
ファイルテーブル４６０は、ＭＰ３ファイル及びボイス録音ファイルのインデックスデータで構成される。ＭＰ３ファイルは、３〜５ＭＢサイズで記憶され、ボイス録音ファイル４７４はサンプリング周波数４ＫＨｚ、８ＫＨｚ、９．６ＫＨｚ、１６ＫＨｚ、２２ＫＨｚ、３６ＫＨｚ、４４．１ＫＨｚ等の多様なサンプリング周波数によってファイルサイズが異なるように記憶される。
【００９１】
図８から図１０は、本発明によるマイクタイプ映像歌伴奏装置の動作を説明するための流れ図である。
図１１から図１７は、本発明によるマイクタイプ映像歌伴奏装置の動作画面の状態図である。
【００９２】
図８を参照すると、機能キーを長く押して（約２秒間）電源がオンにされる（Ｓ５０２）と、制御部１３８ではリセット信号を受けてシステムを初期化する（Ｓ５０４）。システム初期化時にフラッシュメモリカード１１６のテーブルがアクセスされてメインメモリ１２０に記憶される。装着検出部１３６を通じてマイクケース２００にハウジング１００が装着されているかを検出する（Ｓ５０６）。
【００９３】
ステップＳ５０６において、装着時には歌演奏モードルーチンを実行し（Ｓ５０８）、分離時には携帯モードルーチンを実行する（Ｓ５１０）。各ルーチンを実行した後、電源オフ状態をチェックし（Ｓ５１２）、電源オフであると、終了し、電源オフではないと、ステップＳ５０６に戻る。
【００９４】
図９を参照すると、装着状態であると、制御部１３８では、選択スイッチ１４０をスイッチングさせてマイクケース２００に設けられた外部マイクがオーディオコーデック１４６に接続されるように制御する（Ｓ５１４）。又、ＡＶライン出力ジャック１５０を通じて外部オーディオ及びビデオラインが内部回路と接続されるように、オーディオコーデック１４６及びビデオコーデック１５２を有効にする（Ｓ５１６）。
【００９５】
制御部１３８では、静止画面であるタイトル画面を記憶部から読み出して、複合映像信号で出力してテレビ３５０画面上にロゴを表示し（図１１参照）（Ｓ５１８）、動映像タイトル表示が約５秒間進行されるようにする。動映像表示うちに、キー入力があると、選曲画面（図１２参照）に進行される（Ｓ５２０）。ここで、読み出された映像データは、制御部１３８で圧縮されたビデオデータを解凍して、解凍されたビデオデータをアナログビデオ信号に変換して、同期信号を重ねて複合映像信号（ＣＶＢＳ）で出力する。
【００９６】
画面上に選曲メニューが表示されると、曲番号を入力して所望する曲を選曲する。方向キーの上下キーを押すか、ジョグダイアルを用いてカーソル位置の番号が変更される。変更された番号が正しいと、右側方向キーやジョグダイアルを押して入力を確定し、次の番号を入力するために、カーソルが次の位置に移動させる。
【００９７】
このような方法で４桁或いは５桁の選曲番号が確定され、再生キーを押すと、演奏が始まる。
番号の入力を間違えた場合には、左側方向キーを押して削除して、更に入力することができる。
【００９８】
機能キーを入力すると、図１３に示すように多様な選曲メニューが表示される。
アカサタナ順、男性歌手の曲、歌手の名前順、女性歌手の曲、時代別検索、ランダム羅列、童謡アカサタナ順、多重条件検索、最近曲／最新曲、作曲家別検索、テンポ別検索、作詞家別検索などがある。アカサタナ順は、歌の題目をアカサタナ順に表示してカーソル移動させて所望する歌の題目を選曲すると、再生キーを押して演奏を始める。歌手の名前順は、歌手の名前をアカサタナ順に表示して選択する。時代別検索は、６０年代／７０年代／８０年代／９０年代／２０００年以後／最新曲等で、時代メニュー選択後、羅列された目録でカーソルを移動して、所望する曲を選択する。童謡目録選択は、童謡をアカサタナ順で羅列して目録で選択する。最近曲選択は、２年以内の曲をアカサタナ順で羅列して選択する。最新曲選択は、６ヶ月或いは３ヶ月以内の曲をアカサタナ順で羅列して選択する。テンポ別選択は、遅い曲、ミディアムテンポ、軽快な曲、速い曲メニューを選択した後、アカサタナ順で羅列して選択する。多重条件選択は、最初選曲メニューを選択した後、更に他のメニューを選択する方式で多重メニュー検索をして範囲を狭くて所望する曲を選曲する。アカサタナ順メニューを選択すると、アカサタナ順序メニューが図１４に示すように表示される。サブメニュー画面でカーソルを所望する項目に位置させた後、エンターキーを押すと、対応する曲題目が順次に表示される。表示された目録を上下方向キー又はジョグダイアルでスクロールしながら、所望する曲名を探す。
【００９９】
図１５に示すように、選曲された項目上にカーソルを配置させた後に、左側方向キーを押すと、予約表示が現われながら、曲予約が行われる。画面左側上端には、現在予約されている曲数が表示される。
【０１００】
曲を選択する間、好みの曲が現われると、右側方向キーを押して愛唱曲として登録できる。ユーザ１０名まで愛唱曲管理が可能である。
選曲が完了されると、制御部１３８はフラッシュメモリカード１１６から選曲された映像歌伴奏ファイルをアクセスしてメインメモリ１２０に記憶し、ファイルヘッダーのポインター値を読み出して、ボイスデータ、ミディデータ、歌詞データ、ビデオ制御データをそれぞれ分離して記憶する。
【０１０１】
スタートキーを押すと、歌演奏が始まる（Ｓ５２２）。歌が演奏されると、図１６の画面に示すように、画面に予約曲、歌の題目、作詞／作曲／歌手の名前が表示される。演奏のうち、左右方向キーを押すと、速度が調節され、調節が完了されると、機能キーを押すか、３秒後にメニューが無くなる。演奏のうち、上下方向キーを押すと、図１７に示すように、音程調節メニュー画面が現われ、音程を調節することができる。演奏中に機能キーを押して、男／女、音量、エコー、リバーブ調節、選曲メニュー、声部別（ソプラノ／アルト／テナー／ベース）、メロディー消し（伴奏のみ演奏）、歌詞消し（歌詞を見せず、歌を歌う）、楽器変換等のメニュー機能を行うことができる。又、連続演奏、背景画面変換、歌ゲーム等をすることができる。
【０１０２】
制御部１３８は、ミディデータを行いながらタイミングに合わせて楽器音とボイス信号を同期させて出力して、同時にビデオ制御データを参照して、背景ファイルを読み出して歌詞データと重畳させた後、歌詞が表示された背景画面信号を出力する。
【０１０３】
ステップＳ５２２で演奏モードが終了されると（Ｓ５２４）、メインプログラムに戻り、終了されないと、カメラ作動可否をチェックして（Ｓ５１９）、カメラ作動がチェックされると、写真イメージを記憶する（Ｓ５２１）。ステップＳ５２１で、カメラ作動がチェックされないと、振動設定可否をチェックし（Ｓ５２３）、振動設定モードであると、設定された条件によって振動モータを駆動する（Ｓ５２５）。ステップＳ５２３で振動モードがチェックされないと、Ｓ５２０の選曲画面に戻る。
【０１０４】
図１０を参照すると、分離時の携帯モード動作は、まず、制御部１３８が装着検出部１３６を通じて分離状態を検出して、選択スイッチ１４０を制御して内部マイク１４４をオーディオコーデック１４６に接続させる（Ｓ５２６）。
【０１０５】
制御部１３８は、データアップ／ダウンモード（Ｓ５２８）、ＭＰ３ファイル選曲モード（Ｓ５３２）、ボイスレコーディングモード（Ｓ５３６）、ＲＦ受信モード（Ｓ５４１）であるかを順次チェックする。Ｓ５２８モードで、データアップ／ダウンモードであると、コンピュータとＵＳＢインターフェース、又はＬＡＮインターフェースを通じてコンピュータデータファイル、例えば、ＭＰ３ファイルを本携帯装置にダウンロードする。ダウンロードされたＭＰ３ファイルは、制御部１３８を通じてフラッシュメモリカードインターフェース１２２に提供され記憶される（Ｓ５３０）。
【０１０６】
ステップＳ５３２で、ＭＰ３選曲モードであると、制御部１３８は選曲されたＭＰ３ファイルをファイルテーブルを参照してアクセスして、アクセスされたＭＰ３ファイルを解凍してオーディオコーデック１４６に提供する。オーディオコーデック１４６はデジタルオーディオデータをアナログステレオオーディオ信号にヘッドフォンジャック１４８を通じてヘッドフォン又はイアフォンに出力する（Ｓ５３４）。
【０１０７】
ステップＳ５３６で、ボイスレコーディングモードであると、内部マイク１４４を通じて入力されたボイス信号をオーディオコーデック１４６で与えられたサンプリング周波数によりデジタルオーディオデータに変換する。変換されたボイスデータは制御部１３８を通じてボイス録音ファイルを生成し、生成されたボイス録音ファイルはフラッシュメモリカード１１６に記憶される（Ｓ５３８）。
【０１０８】
ステップＳ５３６で、ボイスレコーディングモードではないと、カメラ作動可否をチェックし（Ｓ５３７）、ピックアップされたイメージを写真イメージファイルで記憶する（Ｓ５３９）。
【０１０９】
ステップＳ５３７で、カメラ作動がチェックされないと、ＲＦ送信をチェックし（Ｓ５４１）、チェックされると、歌伴奏モードであるので背景映像イメージとオーディオ信号をテレビ信号に変調して無線伝送する（Ｓ５４２）。
【０１１０】
ステップＳ５４３で、補助マイク３００から伝送されたＲＦ信号が無線送受信部１５８を通じて受信されると、制御部１３８では、受信されたコマンドを行って対応する曲の歌詞データをアクセスして、液晶表示部１６２に歌詞を字幕で表示する（Ｓ５４４）。従って、この場合には歌詞の字幕器として用いられることができる。
【０１１１】
ステップＳ５３０、Ｓ５３４、Ｓ５３８、Ｓ５３９、Ｓ５４２、Ｓ５４４で、動作が完了されるか、ステップＳ５４５で携帯モード終了であるかをチェックして（Ｓ５４５）、終了であるとメインプログラムに戻り、終了ではないとステップＳ５２８に戻って動作待機する。
【産業上の利用可能性】
【０１１２】
前述したように、本発明ではマイクタイプ映像歌伴奏装置でマイクケースと携帯装置を着脱式で構成することにより、映像歌伴奏装置と携帯用音楽ファイル再生装置で用いることができる。
【０１１３】
又、携帯装置内に約５０００曲の歌伴奏用音楽ファイルと背景映像ファイルを記憶できるので、セットトップボックス形態の歌伴奏装置なしに、すぐテレビ等に接続する場合、歌伴奏と共に背景映像も楽しむことができる。
【０１１４】
以上、本発明の実施形態によって詳細に説明したが、本発明はこれに限定されず、本発明が属する技術分野において通常の知識を有するものであれば本発明の思想と精神を離れることなく、本発明を修正または変更できる。
【図面の簡単な説明】
【０１１５】
【図１】本発明による好ましい一実施形態の携帯用動映像マルチメディアプレイヤーの前面外観斜視図。
【図２】本発明による好ましい一実施形態の携帯用動映像マルチメディアプレイヤーの後面外観斜視図。
【図３】本発明による好ましい一実施形態の携帯用動映像マルチメディアプレイヤーをマイクケースに装着した状態の正面図。
【図４】本発明による好ましい一実施形態の携帯用動映像マルチメディアプレイヤーをマイクケースに装着した状態の側面図。
【図５】本発明による携帯用動映像マルチメディアプレイヤーの好ましい一実施形態のブロック図。
【図６】本発明による記憶媒体の好ましい一実施形態のマッピング状態を示す図。
【図７】本発明による映像歌伴奏用音楽ファイルのフォーマット構造を示す図。
【図８】本発明によるマイクタイプ映像歌伴奏装置の動作を説明するための流れ図。
【図９】本発明によるマイクタイプ映像歌伴奏装置の動作を説明するための流れ図。
【図１０】本発明によるマイクタイプ映像歌伴奏装置の動作を説明するための流れ図。
【図１１】本発明によるマイクタイプ映像歌伴奏装置の動作画面状態図。
【図１２】本発明によるマイクタイプ映像歌伴奏装置の動作画面状態図。
【図１３】本発明によるマイクタイプ映像歌伴奏装置の動作画面状態図。
【図１４】本発明によるマイクタイプ映像歌伴奏装置の動作画面状態図。
【図１５】本発明によるマイクタイプ映像歌伴奏装置の動作画面状態図。
【図１６】本発明によるマイクタイプ映像歌伴奏装置の動作画面状態図。
【図１７】本発明によるマイクタイプ映像歌伴奏装置の動作画面状態図。
【符号の説明】
【０１１６】
１００…ハウジング、１０１…カメラ、１０２…液晶表示窓、１０４…方向キーパッド、１０６…ジョグダイアルボタン、１０８…モード選択ボタン、１１０…プレイボタン、１１２…ヘッドフォンジャック、１１４…カードスロット、１１６…フラッシュメモリカード、１１８…マイク接続端子、１１９…ビデオオーディオライン接続端子、１２０…メインメモリ、１２２…フラッシュメモリカードインターフェース、１２６…ミニハードディスクドライブ、１２８…ＵＳＢインターフェース、１３２…ＬＡＮインターフェース、１５８…無線送受信部、１６６…振動モータ、２００…マイクケース、２１０…ヘッド部、２２０…ハンドル部、３００…補助マイク。
【図１】
2006119572.tif 000003
【図２】
2006119572.tif 000004
【図３】
2006119572.tif 000005
【図４】
2006119572.tif 000006
【図５】
2006119572.tif 000007
【図６】
2006119572.tif 000008
【図７】
2006119572.tif 000009
【図８】
2006119572.tif 000010
【図９】
2006119572.tif 000011
【図１０】
2006119572.tif 000012
【図１１】
2006119572.tif 000013
【図１２】
2006119572.tif 000014
【図１３】
2006119572.tif 000015
【図１４】
2006119572.tif 000016
【図１５】
2006119572.tif 000017
【図１６】
2006119572.tif 000018
【図１７】
2006119572.tif 000019